(57)【要約】【課題】  専用ソフトウェアをローカル再生装置に導入せずに、ローカル再生装置の電源に連動して、電源を制御することを可能とするローカルサーバを提供する。【解決手段】  ローカルサーバ２００が、電源ＯＦＦモードにおいて、電源ＯＦＦモードから電源ＯＮモードへの遷移を要求するための電源ＯＮ情報Ｃをコンテンツリストとしてローカル再生装置３００に送信する。ローカルサーバ２００が、電源ＯＮ情報Ｃの送信に応じて、電源ＯＮ情報が選択されたことを示す電源ＯＮ要求を、ローカル再生装置３００から受信する。ローカルサーバ２００は、電源ＯＮ要求に応じて、電源モードを電源ＯＦＦモードから電源ＯＮモードに遷移する。【選択図】  図２
2011070329.tif 000002
【特許請求の範囲】
【請求項１】
ローカルネットワークを介して接続されたローカル再生装置に対して、前記ローカル再生装置に提供可能なコンテンツのリストであるコンテンツリストを送信し、電源ＯＦＦモードと電源ＯＮモードとを有するローカルサーバであって、
前記電源ＯＦＦモードにおいて、前記電源ＯＮモードへの遷移を要求するための電源ＯＮ情報を前記コンテンツリストとして前記ローカル再生装置に送信する送信部と、
前記電源ＯＮ情報が選択されたことを示す電源ＯＮ要求を前記ローカル再生装置から受信する受信部と、
前記電源ＯＮ要求に応じて、前記電源ＯＦＦモードから前記電源ＯＮモードに遷移する電源管理部とを備えることを特徴とするローカルサーバ。
【請求項２】
前記送信部は、前記電源ＯＮ要求に応じて、前記電源ＯＦＦモードから前記電源ＯＮモードへの遷移が終了するまで、前記ローカル再生装置にモード遷移コンテンツを送信し、
前記モード遷移コンテンツは、前記電源ＯＦＦモードから前記電源ＯＮモードへの遷移中であることを通知するためのコンテンツであることを特徴とする請求項１に記載のローカルサーバ。
【請求項３】
前記送信部は、前記電源ＯＦＦモードから前記電源ＯＮモードへの遷移が終了した場合に、前記ローカル再生装置に通常視聴コンテンツのリストを前記コンテンツリストとして前記ローカル再生装置に送信し、
前記通常視聴コンテンツは、前記電源ＯＮモードにおいて前記ローカル再生装置に提供可能なコンテンツであることを特徴とする請求項１に記載のローカルサーバ。
【発明の詳細な説明】
【技術分野】
【０００１】
本発明は、ローカルネットワークを介して接続されたローカル再生装置に対して、ローカル再生装置に提供可能なコンテンツのリストであるコンテンツリストを送信するローカルサーバに関する。
【背景技術】
【０００２】
近年、ＤＬＮＡ（Ｄｉｇｉｔａｌ  Ｌｉｖｉｎｇ  Ｎｅｔｗｏｒｋ  Ａｌｌｉａｎｃｅ）などにおいて、映像や音声などのコンテンツデータの利用促進を目指す技術の開発が進められている。例えば、ＤＭＳ（Ｄｉｇｉｔａｌ  Ｍｅｄｉａ  Ｓｅｒｖｅｒ）などと称されるローカルサーバからＤＭＰ（Ｄｉｇｉｔａｌ  Ｍｅｄｉａ  Ｐｌａｙｅｒ）などと称されるローカル再生装置に対してコンテンツデータを送信することによって、コンテンツデータの利用を促進する技術が検討されている。
【０００３】
ここで、ローカルサーバからローカル再生装置に送信されるコンテンツは、ＣＤＳ（Ｃｏｎｔｅｎｔ  Ｄｉｒｅｃｔｏｒｙ  Ｓｅｒｖｉｃｅ）と称されるコンテンツリストによって管理される。ＣＤＳでは、コンテンツが階層化されている。ユーザは、ローカル再生装置によって表示されるＣＤＳ（コンテンツリスト）を用いて、所望のコンテンツを視聴する。
【先行技術文献】
【特許文献】
【０００４】
【特許文献１】特開２００８−４１１２０号公報
【発明の概要】
【発明が解決しようとする課題】
【０００５】
ところで、消費電力の低減などを図るために、ローカル再生装置の電源と連動して、ローカルサーバの電源を制御することが好ましい。しかしながら、このような電源連動機能を実現するためには、ローカル再生装置に専用ソフトウェアを導入する必要がある。
【０００６】
しかしながら、ローカル再生装置は、新たなソフトウェアを導入する機能を有していないことが想定される。このようなケースでは、電源連動機能を実現することができなかった。
【０００７】
そこで、本発明は、上述した課題を解決するためになされたものであり、専用ソフトウェアをローカル再生装置に導入せずに、ローカル再生装置の電源に連動して、電源を制御することを可能とするローカルサーバを提供することを目的とする。
【課題を解決するための手段】
【０００８】
一の特徴では、ローカルネットワーク（ローカルネットワーク１００）を介して接続されたローカル再生装置（ローカル再生装置３００）に対して、前記ローカル再生装置に提供可能なコンテンツのリストであるコンテンツリストを送信し、電源ＯＦＦモードと電源ＯＮモードとを有するローカルサーバ（ローカルサーバ２００）が、前記電源ＯＦＦモードにおいて、前記電源ＯＮモードへの遷移を要求するための電源ＯＮ情報を前記コンテンツリストとして前記ローカル再生装置に送信する送信部（処理部２２０、ローカル通信部２１０）と、前記電源ＯＮ情報が選択されたことを示す電源ＯＮ要求を前記ローカル再生装置から受信する受信部（処理部２２０、ローカル通信部２１０）と、前記電源ＯＮ要求に応じて、前記電源ＯＦＦモードから前記電源ＯＮモードに遷移する電源管理部（電源管理部２５０）とを備える。
【０００９】
上述した特徴において、前記送信部は、前記電源ＯＮ要求に応じて、前記電源ＯＦＦモードから前記電源ＯＮモードへの遷移が終了するまで、前記ローカル再生装置にモード遷移コンテンツを送信する。前記モード遷移コンテンツは、前記電源ＯＦＦモードから前記電源ＯＮモードへの遷移中であることを通知するためのコンテンツである。
【００１０】
上述した特徴において、前記送信部は、前記電源ＯＦＦモードから前記電源ＯＮモードへの遷移が終了した場合に、前記ローカル再生装置に通常視聴コンテンツのリストを前記コンテンツリストとして前記ローカル再生装置に送信する。前記通常視聴コンテンツは、前記電源ＯＮモードにおいて前記ローカル再生装置に提供可能なコンテンツである。
【発明の効果】
【００１１】
本発明によれば、専用ソフトウェアをローカル再生装置に導入せずに、ローカル再生装置の電源に連動して、電源を制御することを可能とするローカルサーバを提供することができる。
【図面の簡単な説明】
【００１２】
【図１】第１実施形態に係るコンテンツ送信システム１を示す図である。
【図２】第１実施形態に係るローカルサーバ２００を示す図である。
【図３】第１実施形態に係るコンテンツリストの構造の一例を示す図である。
【図４】第１実施形態に係るコンテンツリストの作成過程を示す図である（その１）。
【図５】第１実施形態に係るコンテンツリストの作成過程を示す図である（その２）。
【図６】第１実施形態に係るローカル再生装置３００を示す図である。
【図７】第１実施形態に係るコンテンツ送信システム１の動作を示すシーケンス図である（電源ＯＮモードにおける動作）。
【図８】第１実施形態に係るコンテンツ送信システム１の動作を示すシーケンス図である（電源ＯＦＦモードにおける動作）。
【発明を実施するための形態】
【００１３】
次に、本発明の実施形態について、図面を参照しながら説明する。なお、以下の図面の記載において、同一又は類似の部分には、同一又は類似の符号を付している。ただし、図面は模式的なものであり、各寸法の比率などは現実のものとは異なることに留意すべきである。従って、具体的な寸法などは以下の説明を参酌して判断すべきものである。また、図面相互間においても互いの寸法の関係や比率が異なる部分が含まれていることは勿論である。
【００１４】
［第１実施形態］
以下において、本発明の第１実施形態について、図面を参照しながら説明する。具体的には、（１）コンテンツ送信システムの概略構成、（２）ローカルサーバの構成、（３）ローカル再生装置の構成、（４）コンテンツ送信システムの動作、（５）作用・効果について説明する。
【００１５】
（１）コンテンツ送信システムの概略構成
まず、本発明の第１実施形態に係るローカルサーバの構成について、図１を参照しながら説明する。図１は、第１実施形態に係るコンテンツ送信システム１を示す図である。
【００１６】
図１に示すように、コンテンツ送信システム１は、ローカルネットワーク１００と、ローカルサーバ２００と、ローカル再生装置３００とを備える。
【００１７】
ローカルネットワーク１００は、ＬＡＮあるいは無線ＬＡＮなどの局所的なネットワークである。ローカルネットワーク１００は、インターネットなどのパブリックネットワークとは独立して設けられる。
【００１８】
ローカルサーバ２００は、ローカルネットワーク１００を介してローカル再生装置３００に接続される。ローカルサーバ２００は、ローカル再生装置３００に所定のコンテンツを提供するコンテンツサーバである。ローカルサーバ２００は、電源モードとして、電源ＯＮモードと、電源ＯＮモードよりもローカルサーバ２００における消費電力を低減する電源ＯＦＦモードとを有する。ローカルサーバ２００は、ローカル再生装置３００に提供可能なコンテンツのリストであるコンテンツリストを、ローカルネットワーク１００を介してローカル再生装置３００に送信する。ローカル再生装置３００に提供可能なコンテンツは、ローカルサーバ２００の電源モードに応じて変更される。
【００１９】
具体的には、ローカルサーバ２００は、通常視聴コンテンツ、およびモード遷移コンテンツをローカル再生装置３００に提供する。
【００２０】
通常視聴コンテンツは、電源ＯＮモードにおいて、ローカルサーバ２００からローカル再生装置３００に提供可能なコンテンツである。通常視聴コンテンツには、例えば、音声コンテンツ、映像コンテンツ、画像コンテンツなどがある。
【００２１】
モード遷移コンテンツは、電源ＯＦＦモードにおいて、ローカルサーバ２００からローカル再生装置３００に提供可能なコンテンツである。具体的には、モード遷移コンテンツは、電源ＯＦＦモードから電源ＯＮモードへの遷移中であることを通知するためのコンテンツである。モード遷移コンテンツとしては、例えば、電源ＯＦＦモードから電源ＯＮモードへの遷移中であることを出力する音声コンテンツ、画像コンテンツまたは映像コンテンツなどが用いられる。
【００２２】
ローカル再生装置３００は、ローカルネットワーク１００を介してローカルサーバ２００に接続される。ローカル再生装置３００は、ローカルサーバ２００から受信されるコンテンツリストを用いて所定のコンテンツを取得し、取得されたコンテンツを再生する装置である。
【００２３】
（２）ローカルサーバの構成
次に、本発明の第１実施形態に係るローカル再生装置の構成について、図２ないし図５を参照しながら説明する。
【００２４】
（２．１）ローカルサーバの概略構成
図２は、第１実施形態に係るローカルサーバ２００を示す図である。図２に示すように、ローカルサーバ２００は、ローカル通信部２１０と、処理部２２０と、格納部２３０と、コンテンツリスト作成部２４０と、電源管理部２５０とを備える。
【００２５】
ローカル通信部２１０は、ローカルサーバ２００をローカルネットワーク１００に接続するためのハードウェアインターフェイスである。ローカル通信部２１０としては、ＬＡＮポートあるいは無線ＬＡＮポートなどが用いられる。
【００２６】
処理部２２０は、コンテンツリストの送信処理、およびコンテンツの提供処理を実行する。処理部２２０は、ローカルサーバ２００の電源モードと、ローカル再生装置３００から受信される情報とに基づいて、実行する処理の内容を決定する。処理部２２０による処理内容については、後に詳述する。
【００２７】
格納部２３０は、所定の情報を格納するＨＤＤなどのストレージである。図２に示すように、格納部２３０は、コンテンツデータ格納部２３１と、コンテンツリスト格納部２３２とを有する。
【００２８】
第１に、コンテンツデータ格納部２３１は、通常視聴コンテンツのデータ（以下、通常視聴コンテンツデータ）と、通常視聴コンテンツデータに設定されたコンテンツ名とを対応付けて格納する。通常視聴コンテンツデータとしては、例えば音声データ、映像データ、画像データなどが用いられる。
【００２９】
第２に、コンテンツデータ格納部２３１は、モード遷移コンテンツのデータを格納する。モード遷移コンテンツデータとしては、例えば音声データ、映像データ、画像データなどが用いられる。
【００３０】
コンテンツリスト格納部２３２は、コンテンツリスト作成部２４０によって作成されるコンテンツリストを格納する。コンテンツリスト格納部２３２に格納されるコンテンツリストは、複数の項目が階層化されたツリー構造を有する。
【００３１】
図３を参照して、コンテンツリスト格納部２３２に格納されるコンテンツリストの構造について説明する。図３は、コンテンツリストの構造の一例を示す図である。
【００３２】
図３に示すように、コンテンツリスト６００は、ルートディレクトリを最上層とするツリー構造を有する。コンテンツリストは、複数の項目として、ルートディレクトリＲ、メニューディレクトリＡ，Ｂ、コンテンツ名Ａ１〜Ａ３，Ｂ１〜Ｂ３、および電源ＯＮ情報Ｃを含む。
【００３３】
ルートディレクトリＲは、ローカル再生装置３００に提供可能なコンテンツの種類を示す項目を要求するために用いられる項目である。ルートディレクトリＲの下位層には、ローカル再生装置３００に提供可能なコンテンツを示す項目として、通常視聴コンテンツの種類を示すメニューディレクトリＡ，Ｂ、および、電源ＯＦＦモードから電源ＯＮモードへの遷移を要求するための電源ＯＮ情報Ｃが配置される。ローカルサーバ２００の電源モードが電源ＯＮモードである場合には、メニューディレクトリＡ，Ｂがコンテンツリストとしてローカル再生装置３００に送信される。一方、ローカルサーバ２００の電源モードが電源ＯＦＦモードである場合には、電源ＯＮ情報Ｃがコンテンツリストとしてローカル再生装置３００に送信される。
【００３４】
コンテンツ名Ａ１〜Ａ３は、メニューディレクトリＡにより示される通常視聴コンテンツの種類に対応する通常視聴コンテンツデータに設定されたコンテンツ名を示す項目である。同様に、コンテンツ名Ｂ１〜Ｂ３は、メニューディレクトリＢにより示される通常視聴コンテンツの種類に対応する通常視聴コンテンツデータに設定されたコンテンツ名を示す項目である。
【００３５】
例えば、メニューディレクトリＡが音声コンテンツを示す場合、コンテンツ名Ａ１〜Ａ３は、コンテンツデータ格納部２３１に格納された通常視聴コンテンツデータのうち、音声コンテンツのデータに設定されたコンテンツ名を示す。また、例えば、メニューディレクトリＢが映像コンテンツを示す場合、コンテンツ名Ｂ１〜Ｂ３は、コンテンツデータ格納部２３１に格納された通常視聴コンテンツデータのうち、映像コンテンツのデータに設定されたコンテンツ名を示す。
【００３６】
コンテンツリスト作成部２４０は、ローカル再生装置３００に提供可能なコンテンツのリストであるコンテンツリストを作成する。コンテンツリスト作成部２４０は、電源ＯＮモードにおいて、コンテンツリストを定期的に作成する。コンテンツリスト作成部２４０は、コンテンツリスト格納部２３２に格納されているコンテンツリストを、新たに作成されたコンテンツリストに更新する。
【００３７】
コンテンツリスト作成部２４０は、例えば、図３に示される構造を有するコンテンツリストを作成する。図４および図５は、コンテンツリスト作成部２４０によるコンテンツリストの作成過程を示す図である。
【００３８】
第１に、コンテンツリスト作成部２４０は、ルートディレクトリＲの下位層の項目を作成する。具体的には、図４に示すように、コンテンツリスト作成部２４０は、ルートディレクトリＲの下位層に、メニューディレクトリＡ，Ｂ、および電源ＯＮ情報Ｃを配置する。
【００３９】
第２に、コンテンツリスト作成部２４０は、メニューディレクトリＡの下位層の項目を作成する。具体的には、図５に示すように、コンテンツリスト作成部２４０は、メニューディレクトリＡによって示されるコンテンツの種類（例えば、音声コンテンツ）に対応する通常視聴コンテンツデータに設定されたコンテンツ名Ａ１〜Ａ３をコンテンツデータ格納部２３１から取得し、メニューディレクトリＡの下位層に取得されたコンテンツ名を配置する。
【００４０】
同様にして、コンテンツリスト作成部２４０は、メニューディレクトリＢの下位層の項目を作成する。具体的には、コンテンツリスト作成部２４０は、メニューディレクトリＢによって示されるコンテンツの種類（例えば、映像コンテンツ）に対応する通常視聴コンテンツデータに設定されたコンテンツ名をコンテンツデータ格納部２３１から取得し、メニューディレクトリＢの下位層に取得されたコンテンツ名を配置する。以上により、図４に示される構造を有するコンテンツリストが形成される。
【００４１】
電源管理部２５０は、ローカルサーバ２００の電源（不図示）を管理する。電源管理部２５０は、処理部２２０から取得される指示に応じて、ローカルサーバ２００の電源モードを制御する。具体的には、電源管理部２５０は、処理部２２０から取得される電源モード遷移指示に応じて、ローカルサーバ２００の電源モードを電源ＯＦＦモードから電源ＯＮモードに遷移する。電源管理部２５０は、電源ＯＦＦモードから電源ＯＮモードへの遷移が終了した場合、モード遷移終了通知を処理部２２０に入力する。
【００４２】
なお、図示していないが、ローカルサーバ２００は、ローカル通信部２１０、処理部２２０、格納部２３０、コンテンツリスト作成部２４０および電源管理部２５０による処理をＣＰＵに実行させるためのプログラムを保持するプログラム保持部を備えていてもよい。プログラム保持部としては、例えば、ＲＡＭ、ＲＯＭ、ハードディスク、フレキシブルディスク、コンパクトディスク、ＩＣチップ、カセットテープなどの記録媒体が用いられる。
【００４３】
（２．２）処理部による処理内容
次に、本発明の第１実施形態に係る処理部２２０による処理内容について説明する。なお、以下において、コンテンツリストは、図３に示される構造を有するものとする。
【００４４】
まず、処理部２２０は、コンテンツリストの送信を要求するコンテンツリスト送信要求を、ローカル通信部２１０を介してローカル再生装置３００から受信する。
【００４５】
処理部２２０は、コンテンツリスト送信要求を受信した場合、電源モードに関わらず、
ローカル再生装置３００に提供可能なコンテンツの種類を示す項目を要求するために用いられる項目を、ローカル再生装置３００に送信する。具体的には、処理部２２０は、コンテンツリストの最上層に配置されたルートディレクトリＲを、ローカル再生装置３００に送信する。
【００４６】
処理部２２０は、ルートディレクトリＲの送信に応じて、ルートディレクトリＲが選択されたことを示す選択項目情報を、ローカル再生装置３００から受信する。
【００４７】
処理部２２０は、ルートディレクトリＲが選択されたことを示す選択項目情報の受信に応じて、ローカルサーバ２００の電源モードを判定する。処理部は、判定された電源モードに応じた処理を実行する。
【００４８】
（ａ）電源ＯＮモードにおける処理
処理部２２０は、ルートディレクトリＲの下位層に位置する項目のうち、通常視聴コンテンツの種類を示す項目を、コンテンツリストとしてローカル再生装置３００に送信する。
【００４９】
処理部２２０は、通常視聴コンテンツの種類を示す項目の中から選択された項目を示す選択項目情報を、ローカル再生装置３００から受信する。
【００５０】
処理部２２０は、受信された選択項目情報により示される項目の下位層に位置する項目、すなわち、選択された種類に対応するコンテンツデータに設定されたコンテンツ名を示す項目を、コンテンツリストとしてローカル再生装置３００に送信する。
【００５１】
処理部２２０は、コンテンツ名を示す項目の中から選択された項目を示す選択項目情報を、ローカル再生装置３００から受信する。
【００５２】
処理部２２０は、受信された選択項目情報により示される項目に対応する通常視聴コンテンツデータ、すなわち、選択されたコンテンツ名が設定された通常視聴コンテンツデータを、格納部２３１から読み出す。
【００５３】
処理部２２０は、読み出された通常視聴コンテンツデータをローカル再生装置３００に送信する。
【００５４】
以上により、通常視聴コンテンツがローカル再生装置３００に提供される。
【００５５】
次に、図４を参照して、電源ＯＮモードにおける処理の具体例について説明する。
【００５６】
まず、処理部２２０は、ルートディレクトリＲの下位層に位置する項目のうち、メニューディレクトリＡ，Ｂをコンテンツリストとしてローカル再生装置３００に送信する。
【００５７】
次に、処理部２２０は、メニューディレクトリＡを示す選択項目情報をローカル再生装置３００から受信する。これは、ローカル再生装置３００が、ローカルサーバ２００に格納された通常視聴コンテンツのうち、音声コンテンツの提供を要求していることを示す。
【００５８】
処理部２２０は、メニューディレクトリＡの下位層に位置する項目であるコンテンツ名Ａ１〜Ａ３を、コンテンツリストとしてローカル再生装置３００に送信する。コンテンツ名Ａ１〜Ａ３は、それぞれ、音声コンテンツに設定された名称を示す。
【００５９】
次に、処理部２２０は、コンテンツ名Ａ１を示す選択項目情報を受信する。これは、ローカル再生装置３００が、ローカルサーバ２００に格納された音声コンテンツのうち、Ａ１という名称が設定された音声コンテンツの提供を要求していることを示す。
【００６０】
処理部２２０は、コンテンツ名Ａ１に対応する通常視聴コンテンツデータを、コンテンツデータ格納部２３１から読み出す。処理部２２０は、読み出された通常視聴コンテンツデータをローカル再生装置３００に送信する。
【００６１】
（ｂ）電源ＯＦＦモードにおける処理
処理部２２０は、ルートディレクトリＲの下位層に位置する項目のうち、電源ＯＦＦモードから電源ＯＮモードへの遷移を要求するための電源ＯＮ情報Ｃを、コンテンツリストとしてローカル再生装置３００に送信する。
【００６２】
処理部２２０は、電源ＯＮ情報Ｃが選択されたことを示す電源ＯＮ要求を、ローカル再生装置３００から受信する。
【００６３】
処理部２２０は、電源ＯＮ要求の受信に応じて、ローカルサーバ２００の電源モードを電源ＯＦＦモードから電源ＯＮモードに遷移する電源モード遷移指示を電源管理部２５０に入力するとともに、コンテンツデータ格納部２３１からモード遷移コンテンツデータを読み出す。
【００６４】
処理部２２０は、読み出されたモード遷移コンテンツデータを、電源ＯＦＦモードから電源ＯＮモードへの遷移が終了するまでローカル再生装置３００に送信する。具体的には、処理部２２０は、電源ＯＦＦモードから電源ＯＮモードへの遷移が終了したことを示すモード遷移終了通知を電源管理部２５０から取得した場合、モード遷移コンテンツデータの送信を中止する。
【００６５】
処理部２２０は、電源ＯＦＦモードから電源ＯＮモードへの遷移が終了した場合、通常視聴コンテンツの種類を示す項目（メニューディレクトリＡ，Ｂ）をコンテンツリストとしてローカル再生装置３００に送信する。具体的には、処理部２２０は、モード遷移コンテンツデータの送信を中止した後に、コンテンツリスト送信要求を受信した場合、上述したように、まず、ルートディレクトリRをローカル再生装置３００に送信する。そして、処理部２２０は、ルートディレクトリRが選択されたことを示す選択項目情報を受信した場合には、ローカルサーバ２００の電源モードが電源ＯＮモードに遷移されているため、通常視聴コンテンツの種類を示す項目（メニューディレクトリＡ，Ｂ）をコンテンツリストとしてローカル再生装置３００に送信する。なお、処理部２２０は、モード遷移コンテンツデータの送信を中止した後、コンテンツリスト送信要求を受信することなく、ルートディレクトリＲまたはメニューディレクトリＡ，Ｂをコンテンツリストとしてローカル再生装置３００に再送してもよい。
【００６６】
（３）ローカル再生装置の構成
次に、本発明の第１実施形態に係るローカル再生装置の構成について、図６を参照しながら説明する。図６は、第１実施形態に係るローカル再生装置３００を示す図である。
【００６７】
図６に示すように、ローカル再生装置３００は、ローカル通信部３１０と、受付部３２０と、処理部３３０と、再生部３４０と、表示部３５０とを備える。
【００６８】
ローカル通信部３１０は、ローカル再生装置３００をローカルネットワーク１００に接続するためのハードウェアインターフェイスである。ローカル通信部３１０としては、ＬＡＮポートあるいは無線ＬＡＮポートなどが用いられる。
【００６９】
受付部３２０は、ローカル再生装置３００を操作するための要求を、ローカル再生装置３００の外部から受け付ける。受付部３２０は、例えば、コンテンツリストの要求を受け付ける。受付部３２０は、受け付けた要求を処理部３３０に入力する。また、受付部３２０は、表示部３５０に表示されるコンテンツリストの項目を選択する情報を、ローカル再生装置３００の外部から受け付ける。
【００７０】
受付部３２０としては、ローカル再生装置３００のユーザが操作可能な操作機器であるタッチパネルやキーボード、あるいはリモコンからの無線信号受信部、あるいは、ローカル再生装置３００の外側面に設けられ、ローカル再生装置３００のユーザが押下できるように構成されたボタンなどが用いられる。
【００７１】
処理部３３０は、ローカルサーバ２００に対する要求の送信処理、およびローカルサーバ２００からの情報の受信処理を実行する。
【００７２】
処理部３３０は、受付部３２０からコンテンツリストの要求が取得された場合、またはローカル再生装置３００の電源が投入された場合に、コンテンツリストの送信を要求するコンテンツリスト送信要求を、ローカル通信部３１０を介してローカルサーバ２００に送信する。
【００７３】
処理部３３０は、コンテンツリスト送信要求に応じて、ローカル再生装置３００に提供可能なコンテンツの種類を示す項目を要求するために用いられる項目、すなわち、コンテンツリストの最上層に配置されたルートディレクトリＲを、コンテンツリストとしてローカルサーバ２００から受信する。処理部３３０は、受信されたルートディレクトリRを表示部３５０に入力する。
【００７４】
処理部３３０は、ルートディレクトリＲを選択する情報を受付部３２０から取得すると、ルートディレクトリRを示す選択項目情報を作成する。処理部３３０は、作成された選択項目情報を、ローカル通信部３１０を介してローカルサーバ２００に送信する。
【００７５】
処理部３３０は、ルートディレクトリRを示す選択項目情報に応じて、通常視聴コンテンツの種類を示す項目であるメニューディレクトリＡ，Ｂ、または、ローカルサーバ２００の電源モードについて電源ＯＦＦモードから電源ＯＮモードへの遷移を要求するための電源ＯＮ情報Ｃを、コンテンツリストとしてローカルサーバ２００から受信する。
【００７６】
処理部３３０は、ローカルサーバ２００の電源モードが電源ＯＮモードである場合には、通常視聴コンテンツの種類を示す項目であるメニューディレクトリＡ，Ｂを受信する。処理部３３０は、ローカルサーバ２００の電源モードが電源ＯＦＦモードである場合には、電源ＯＦＦモードから電源ＯＮモードへの遷移を要求するための電源ＯＮ情報Ｃを受信する。処理部３３０は、受信された項目を表示部３５０に入力する。
【００７７】
処理部３３０は、受付部３２０から取得される情報に応じて選択項目情報を作成する。
【００７８】
処理部３３０は、メニューディレクトリＡを選択する情報を受付部３２０から取得すると、メニューディレクトリＡを示す選択項目情報を作成し、作成された選択項目情報をローカルサーバ２００に送信する。処理部３３０は、ルートディレクトリＡを示す選択項目情報に応じて、コンテンツ名Ａ１〜Ａ３をローカルサーバ２００から受信する。処理部３３０は、受信された項目を表示部３５０に入力する。
【００７９】
同様に、処理部３３０は、メニューディレクトリＢを選択する情報を受付部３２０から取得すると、メニューディレクトリＢを示す選択項目情報を作成し、作成された選択項目情報をローカルサーバ２００に送信する。処理部３３０は、ルートディレクトリＢを示す選択項目情報に応じて、コンテンツ名Ｂ１〜Ｂ３をローカルサーバ２００から受信する。処理部３３０は、受信された項目を表示部３５０に入力する。
【００８０】
処理部３３０は、コンテンツ名を選択する情報を受付部３２０から取得すると、選択されたコンテンツ名を示す選択項目情報を作成し、作成された選択項目情報をローカルサーバ２００に送信する。処理部３３０は、選択項目情報により示されるコンテンツ名に対応する通常視聴コンテンツデータをローカルサーバ２００から受信する。処理部３３０は、受信された通常視聴コンテンツを再生部３４０に入力する。
【００８１】
処理部３３０は、電源ＯＮ情報を選択する情報を受付部３２０から取得すると、電源ＯＮ要求を作成し、作成された電源ＯＮ要求をローカルサーバ２００に送信する。処理部３３０は、電源ＯＮ要求に応じて、電源ＯＦＦモードから電源ＯＮモードへの遷移中であることを通知するためのモード遷移コンテンツデータをローカルサーバ２００から受信する。処理部３３０は、受信されたモード遷移コンテンツを再生部３４０に入力する。電源ＯＦＦモードから電源ＯＮモードへの遷移が終了した場合、モード遷移コンテンツデータの受信が中止される。
【００８２】
再生部３４０は、処理部３３０から取得されるコンテンツデータの再生処理を行う。再生部３４０は、例えば、映像、画像、文字列などを表示する表示部、音声を出力するスピーカなどによって構成される。
【００８３】
表示部３５０は、処理部３３０から取得されるコンテンツリストの項目を表示する。
【００８４】
例えば、表示部３５０は、ルートディレクトリＲを取得した場合、「メニュー」などの文字列または画像を表示する。また、例えば、表示部３５０は、メニューディレクトリＡ，Ｂを取得した場合、「メニューＡ：音声」，「メニューＢ：映像」などの文字列または画像を表示する。また、例えば、表示部３５０は、電源ＯＮ情報を取得した場合、「ローカルサーバの電源をＯＮにする」などの文字列または画像を表示する。
【００８５】
なお、図示していないが、ローカル再生装置３００は、ローカル通信部３１０、受付部３２０、処理部３３０、再生部３４０、および表示部３５０による処理をＣＰＵに実行させるためのプログラムを保持するプログラム保持部を備えていてもよい。プログラム保持部としては、例えば、ＲＡＭ、ＲＯＭ、ハードディスク、フレキシブルディスク、コンパクトディスク、ＩＣチップ、カセットテープなどの記録媒体が用いられる。
【００８６】
（４）コンテンツ送信システムの動作
以下において、本発明の第１実施形態に係るコンテンツ送信システムの動作について、図７および図８を参照しながら説明する。
【００８７】
（４．１）電源ＯＮモードの場合
図７は、ローカルサーバ２００の電源モードが電源ＯＮモードである場合における、コンテンツ送信システムの動作を示すシーケンス図である。
【００８８】
図７に示すように、ステップＳ１０１において、ローカル再生装置３００は、コンテンツリスト送信要求をローカルサーバ２００に送信する。
【００８９】
ステップＳ１０２において、ローカルサーバ２００は、ローカル再生装置３００に提供可能なコンテンツの種類を示す項目を要求するために用いられる項目であるルートディレクトリＲを読み出す。
【００９０】
ステップＳ１０３において、ローカルサーバ２００は、読み出されたルートディレクトリＲをコンテンツリストとしてローカル再生装置３００に送信する。
【００９１】
ステップＳ１０４において、ローカル再生装置３００は、受信されたルートディレクトリＲを表示する。例えば、ローカル再生装置３００は、表示部３５０において、「メニュー」などの文字列または画像を表示する。ローカル再生装置３００は、ルートディレクトリＲを表示した後に、ルートディレクトリＲを選択する情報をローカル再生装置３００の外部から受け付ける。
【００９２】
ステップＳ１０５において、ローカル再生装置３００は、ルートディレクトリＲが選択されたことを示す選択項目情報を、ローカルサーバ２００に送信する。
【００９３】
ステップＳ１０６において、ローカルサーバ２００は電源モードを判定する。ローカルサーバ２００は、電源モードが電源ＯＮモードであると判定すると、ローカル再生装置３００に提供可能なコンテンツを示す項目のうち、通常視聴コンテンツの種類を示す項目であるメニューディレクトリＡ，Ｂを読み出す。
【００９４】
ステップＳ１０７において、ローカルサーバ２００は、読み出されたメニューディレクトリＡ，Ｂをコンテンツリストとしてローカル再生装置３００に送信する。
【００９５】
ステップＳ１０８において、ローカル再生装置３００は、受信されたメニューディレクトリＡ，Ｂを表示する。例えば、ローカル再生装置３００は、表示部３５０において、「メニューＡ：音声」，「メニューＢ：映像」などの文字列または画像を表示する。ローカル再生装置３００は、メニューディレクトリＡ，Ｂを表示した後に、メニューディレクトリＡを選択する情報をローカル再生装置３００の外部から受け付ける。
【００９６】
ステップＳ１０９において、ローカル再生装置３００は、メニューディレクトリＡが選択されたことを示す選択項目情報を、ローカルサーバ２００に送信する。
【００９７】
ステップＳ１１０において、ローカルサーバ２００は、選択されたメニューディレクトリＡの下位層に配置された項目であるコンテンツ名Ａ１〜Ａ３を読み出す。
【００９８】
ステップＳ１１１において、ローカルサーバ２００は、読み出されたコンテンツ名Ａ１〜Ａ３をコンテンツリストとしてローカル再生装置３００に送信する。
【００９９】
ステップＳ１１２において、ローカル再生装置３００は、受信されたコンテンツ名Ａ１〜Ａ３を表示する。例えば、ローカル再生装置３００は、表示部３５０において、「楽曲名Ａ１」，「楽曲名Ａ２」，「楽曲名Ａ３」などの文字列または画像を表示する。ローカル再生装置３００は、コンテンツ名Ａ１〜Ａ３を表示した後に、コンテンツ名Ａ１を選択する情報をローカル再生装置３００の外部から受け付ける
ステップＳ１１３において、ローカル再生装置３００は、コンテンツ名Ａ１が選択されたことを示す選択項目情報を、ローカルサーバ２００に送信する。
【０１００】
ステップＳ１１４において、ローカルサーバ２００は、コンテンツ名Ａ１に対応する通常視聴コンテンツデータを読み出す。
【０１０１】
ステップＳ１１５において、ローカルサーバ２００は、読み出された通常視聴コンテンツデータをローカル再生装置３００に送信する。
【０１０２】
ステップＳ１１６において、ローカル再生装置３００は、受信された通常視聴コンテンツデータを再生する。
【０１０３】
（４．２）電源ＯＦＦモードの場合
図８は、ローカルサーバ２００の電源モードが電源ＯＮモードである場合における、コンテンツ送信システムの動作を示すシーケンス図である。図８におけるステップＳ２０１〜Ｓ２０５は、図７におけるステップＳ１０１〜Ｓ１０５と同様であるため、説明を省略する。
【０１０４】
図８に示すように、ステップＳ２０６において、ローカルサーバ２００は電源モードを判定する。ローカルサーバ２００は、電源モードが電源ＯＦＦモードであると判定すると、ローカル再生装置３００に提供可能なコンテンツを示す項目のうち、電源ＯＦＦモードから電源ＯＮモードへの遷移を要求するための電源ＯＮ情報Ｃを読み出す。
【０１０５】
ステップＳ２０７において、ローカルサーバ２００は、読み出された電源ＯＮ情報Ｃをコンテンツリストとしてローカル再生装置３００に送信する。
【０１０６】
ステップＳ２０８において、ローカル再生装置３００は、受信された電源ＯＮ情報Ｃを表示する。例えば、ローカル再生装置３００は、表示部３５０において、「ローカルサーバの電源をＯＮにする」などの文字列または画像を表示する。ローカル再生装置３００は、電源ＯＮ情報Ｃを表示した後に、電源ＯＮ情報Ｃを選択する情報をローカル再生装置３００の外部から受け付ける。
【０１０７】
ステップＳ２０９において、ローカル再生装置３００は、電源ＯＮ要求を、ローカルサーバ２００に送信する。
【０１０８】
ステップＳ２１０において、ローカルサーバ２００は、電源ＯＦＦモードから電源ＯＮモードへの遷移を開始するとともに、モード遷移コンテンツデータを読み出す。
【０１０９】
ステップＳ２１１において、ローカルサーバ２００は、読み出されたモード遷移コンテンツデータをローカル再生装置３００に送信する。
【０１１０】
ステップＳ２１２において、ローカル再生装置３００は、受信されたモード遷移コンテンツデータを再生する。
【０１１１】
ステップＳ２１３において、ローカルサーバ２００は、電源ＯＦＦモードから電源ＯＮモードへの遷移が終了したことを検出する。そして、ローカルサーバ２００は、モード遷移コンテンツデータの送信を中止する。
【０１１２】
（５）作用・効果
本発明の第１実施形態に係るコンテンツ送信システム１によれば、ローカル再生装置３００は、コンテンツリストの要求をローカル再生装置３００の外部から受け付けた場合、あるいは、ローカル再生装置３００の電源が投入された場合に、コンテンツリストの送信を要求するコンテンツリスト送信要求をローカルサーバ２００に送信する。ローカルサーバ２００は、電源ＯＮモードである場合には、コンテンツリスト送信要求の受信に応答じて、通常視聴コンテンツの種類を示す項目をコンテンツリストとしてローカル再生装置３００に送信する。一方、ローカルサーバ２００は、電源ＯＦＦモードである場合には、コンテンツリスト送信要求の受信に応じて、電源ＯＦＦモードから電源ＯＮモードへの遷移を要求するための電源ＯＮ情報を示す項目をコンテンツリストとしてローカル再生装置３００に送信する。
【０１１３】
ローカルサーバ２００は、ローカル再生装置３００において電源ＯＮ情報が選択されたことを示す電源ＯＮ要求をローカル再生装置３００から受信すると、ローカルサーバ２００の電源モードを、電源ＯＦＦモードから電源ＯＮモードに遷移させる。
【０１１４】
このような構成によれば、ローカルサーバ２００の電源モードを遷移させるための情報が、ローカル再生装置３００が利用可能な形式、すなわちコンテンツリストの形式でローカル再生装置３００に送信される。そのため、ローカルサーバ２００の電源モードを制御するための専用ソフトウェアが導入されていないローカル再生装置３００であっても、ローカルサーバ２００の電源モードを制御することができる。特に、ローカル再生装置３００の電源が投入された場合に送信されるコンテンツリスト送信要求に対して、電源ＯＮ情報をローカル再生装置３００に送信する場合には、ローカル再生装置３００の電源投入に応じて、ローカルサーバ２００の電源モードが電源ＯＮモードに遷移されるため、ローカル再生装置３００の電源に連動して、ローカルサーバ２００の電源を制御することができる。
【０１１５】
以上より、専用ソフトウェアをローカル再生装置３００に導入せずに、ローカル再生装置３００の電源に連動して、ローカルサーバ２００の電源を制御することができる。
【０１１６】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【０１１７】
例えば、上述した第１実施形態では、ローカルネットワーク１００に接続されるローカルサー再生装置３００が１つである場合について説明したが、本発明はこれに限るものではない。例えば、ローカルネットワーク１００に接続されるローカル再生装置３００は複数であってもよい。この場合、ローカルサーバ２００は、ローカルネットワーク１００に接続された全てのローカル再生装置３００に電源ＯＮ情報を送信してもよく、特定のローカル再生装置３００だけに電源ＯＮ情報を送信してもよい。
【０１１８】
また、上述した第１実施形態では、電源ＯＦＦモードから電源ＯＮモードへの遷移が終了した場合に、電源ＯＦＦモードから電源ＯＮモードへの遷移中であることを通知するためのモード遷移コンテンツデータの送信を中止する場合について説明した。ローカルサーバ２００は、モード遷移コンテンツデータの送信を中止した後に、電源ＯＦＦモードから電源ＯＮモードへの遷移が終了したことを通知するためのモード遷移終了コンテンツデータをさらに送信してもよい。
【０１１９】
また、上述した第１実施形態では、電源ＯＦＦモードから電源ＯＮモードへの遷移中において、ローカル再生装置３００にモード遷移コンテンツが送信される場合について説明したが、本発明はこれに限るものではない。電源ＯＦＦモードから電源ＯＮモードへの遷移中において、ローカル再生装置３００には、モード遷移コンテンツが送信されなくてもよい。
【０１２０】
また、例えば、コンテンツ送信システム１の動作（すなわち、図８，９に示したシーケンス）をコンピュータに実行させるプログラムが提供されてもよい。また、このようなプログラムが格納された記憶媒体が提供されてもよい。プログラムが格納された記憶媒体は、例えば、ローカル再生装置３００、ローカルサーバ４００およびパブリックサーバ５００のそれぞれに付属するＣＤ−ＲＯＭなどである。
【０１２１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【０１２２】
１…コンテンツ送信システム、１００…ローカルネットワーク、２００…ローカルサーバ、２１０…ローカル通信部、２２０…処理部、２３０…格納部、２３１…コンテンツデータ格納部、２３２…コンテンツリスト格納部、２４０…コンテンツリスト作成部、４５０…電源管理部、３００…ローカル再生装置、３１０…ローカル通信部、３２０…受付部、３３０…処理部、３４０…再生部、３５０…表示部、６００…コンテンツリスト．
【図１】
2011070329.tif 000003
【図２】
2011070329.tif 000004
【図３】
2011070329.tif 000005
【図４】
2011070329.tif 000006
【図５】
2011070329.tif 000007
【図６】
2011070329.tif 000008
【図７】
2011070329.tif 000009
【図８】
2011070329.tif 000010